(57)【要約】  中心開口を持つディスク形情報担体に適したターンテーブルを有するターンテーブル（１）及び装置。ターンテーブルは、円錐形中心合わせ部分（１２）を有する中心合わせ素子（８）を有し、該中心合わせ素子は、回転軸の周りで回転可能であり、バネ力に逆らって軸方向に移動可能である。前記中心合わせ素子は、更に、前記中心軸に最も近く位置した前記円錐形部分の端に隣接する略円筒状の部分（１１）を有する。
2007510248.tif 000002
【特許請求の範囲】
【請求項１】
中心開口を持つディスク形情報担体に適したターンテーブルであって、該ターンテーブルは、円錐形中心合わせ部分を有する中心合わせ素子を有し、該中心合わせ素子は、回転軸の周りで回転可能であり、バネ力に逆らって軸方向に移動可能である、ターンテーブルにおいて、前記中心合わせ素子は、更に、前記円錐形部分の、前記中心軸の最も近くに位置した端に隣接する略円筒状の部分を有することを特徴とするターンテーブル。
【請求項２】
請求項１に記載のターンテーブルにおいて、前記中心合わせ素子は、円錐形プリセンタリング部分を有し、該部分のうち、前記中心軸から最も遠くに位置した端は、前記中心合わせ部とは遠い側で、前記略円筒状部分に隣接することを特徴とするターンテーブル。
【請求項３】
請求項１又は２に記載のターンテーブルにおいて、前記円筒状部分の壁は、前記中心軸に対して０〜５°の角度で延在することを特徴とするターンテーブル。
【請求項４】
請求項１、２又は３に記載のターンテーブルにおいて、前記中心合わせ部分の壁が前記中心軸となす前記角度は、前記プリセンタリング部分の壁が前記中心軸となす前記角度より小さいことを特徴とするターンテーブル。
【請求項５】
中心開口を持つディスク形情報担体への動作を実行するのに適した装置において、前記ディスク形情報担体を回転させるための請求項１乃至４の何れか１項に記載のターンテーブルを有する装置。
【請求項６】
中心開口を持つ光情報担体から情報を読み出し及び／又は前記光情報担体に情報を書き込むための装置において、請求項１乃至４の何れか１項に記載のターンテーブルと光ヘッドとを有する装置。
【発明の詳細な説明】
【技術分野】
【０００１】
本発明は、中心開口を持つディスク形情報担体に適したターンテーブルであって、該ターンテーブルは、円錐形中心合わせ部分（centering portion）を有する中心合わせ素子を有し、該中心合わせ素子は、回転軸の周りで回転可能であり、バネ力に逆らって軸方向に移動可能である、ターンテーブルに関する。
【０００２】
本発明は、更に、中央開口を持つディスク形情報担体への動作を実行するための装置に関する。
【背景技術】
【０００３】
このようなターンテーブル及びディスク形情報担体への動作を実行するための装置であって国際特許出願公開第０２／０８０１６５号公報から知られるものにおいては、中心開口を持つディスク形情報担体は、中心合わせ素子の円錐形中心合わせ部分の周りに位置決めされ、その後、圧力手段が、中心合わせ素子を囲む支持体に情報担体を押し付ける。続いて、中心合わせ素子及び支持体、その上のディスク形情報担体、並びに、圧力手段は、共同で回転され、この回転中、情報担体上に存在する情報が当該情報担体から読み出され、及び／又は、情報が当該情報担体に書き込まれる。
【０００４】
情報担体が、中心合わせ素子を囲む支持体に押し付けられているとき、中心合わせ素子は、バネのバネ力に逆らって軸方向に移動し、この結果、情報担体の中央開口は、円錐型中心合わせ部に中心合わせされる。ディスク形情報担体におけるアンバランスは、ターンテーブルの回転の際の、中心軸に対して垂直な方向のアンバランス力に至る。情報担体に作用するこのアンバランス力は、情報担体によって力が中心合わせ素子に加えられることを生じる。前記力は、円錐形中心合わせ部分に作用し、力が円錐形中心合わせ部分に、中心軸に平行に圧力手段から離れる方向に、加えられるようにする。アンバランス力の結果として円錐形中心合わせ部分に加えられている力が、円錐形中心合わせ部分に作用するバネ力より大きくなると、円錐形中心合わせ部分は、駆動手段から離れる方向に押される。その結果、中心開口は、円錐形中心合わせ部分のうちの、開口より小さい直径を持つ部分の周りに位置決めされ、情報担体のアンバランス及びその結果としてのアンバランス力がより大きくなる。中心合わせ素子が軸方向にそれ以上移動することができなくなった途端に、発生するアンバランス力は、圧力手段によって加えられる力より大きくなり、圧力手段は、情報担体と離れるように移動し、情報担体は中心合わせ素子から振り落とされる。これは明らかに、望ましくない。
【発明の開示】
【発明が解決しようとする課題】
【０００５】
本発明の目的は、アンバランス力が単純な態様で吸収され、これにより、ディスク形情報担体が、中心合わせ素子から外れることを防止するような、ターンテーブルを提供することである。
【課題を解決するための手段】
【０００６】
この目的は、中心合わせ素子が、円錐形部分の、中心軸の最も近くに位置した端に隣接する略円筒状の部分を更に有する、本発明によるターンテーブルによって達成される。
【０００７】
アンバランス力が発生し、中心合わせ素子をバネ力に逆らって軸方向に移動させるとき、中心開口は、中心合わせ素子が一定距離を移動したら、中心合わせ素子の略円筒状の部分の周りに延びることになる。略円筒状の部分に作用するアンバランス力は、中心軸に平行の方向におけるいかなる大きな力も生じず、この結果、中心合わせ素子は軸方向にそれ以上移動せず、このため、情報担体が、中心合わせ素子から振り落とされることが、比較的単純な態様で防止される。
【０００８】
略円筒状の部分の直径は、中心軸に最も近く位置決めされる円錐形部分の端の直径に対応する。前記直径は、情報担体の中心開口の直径より小さくなり、この結果、情報担体はその点で適切に中心合わせされない。この場合には、中心軸の周りで情報媒体が回転される速度を低減し、情報担体を圧力手段及び中心合わせ手段によって再び中心合わせする等の、追加の手段が取られなければならない可能性がある。
【０００９】
本発明によるターンテーブルの１つの実施例は、中心合わせ素子が、円錐形プリセンタリング部分を有し、該部分のうち、中心軸から最も遠くに位置した端は、中心合わせ部分とは遠い側で、略円筒状の部分に隣接することを特徴とする。
【００１０】
ディスク形情報担体は、比較的不正確な態様で、円錐形プリセンタリング部分によって中心合わせ素子に配置されることができる。この後、中心開口は、連続して、プリセンタリング部分上を、そして、略円筒状部分上を、移動され、円錐形中心合わせ部分の周りの位置に移動される。この位置で、この中心開口は、中心合わせ素子に対して正確に位置決めされる
【００１１】
本発明によるターンテーブルの他の実施例は、円筒状部分の壁が、中心軸に対して０〜５°の角度で延在することを特徴とする。
【００１２】
円筒状部分の壁は好適には中心軸と平行に延在するが、円筒状部分の壁を最大約５°という小さい角度で配置することも可能であり、これにより、中心合わせ素子を軸方向に移動させる、中心軸と平行の方向における比較的大きな力の発生は、比較的単純な態様で更に防止される。
【００１３】
本発明によるターンテーブルの更に他の実施例は、センタリング部分の壁が中心軸となす角度が、プリセンタリング部分の壁が中心軸となす角度より小さいことを特徴とする。
【００１４】
このようにして、情報担体は、プリセンタリング部分によって比較的速くプリセンタリングされ、続いて、情報担体は、比較的大きな精度で中心合わせ部分に中心合わせされる。
【００１５】
本発明は、更に、本発明によるターンテーブルを有する装置に関する。この装置は、請求項５及び６に規定される。
【００１６】
このような装置は、ディスク形情報担体を比較的正確な態様で中心合わせすることを可能にし、一方で、比較的大きなアンバランス力が発生するときであっても情報担体が、中心合わせ素子の周りで信頼性良く位置決めされることを可能にする。
【発明を実施するための最良の形態】
【００１７】
本発明は、以降で、図面を参照して例示により説明される。
【００１８】
類似部分は、図中で同一番号によって示される。
【００１９】
図１は、中心軸２の周りで回転するシャフト３を有する本発明によるターンテーブル１を示す。シャフト３は、シャフト３にしっかりと接続された支持体４を通じて延在する。この支持体４は、摩擦増大材料の環状ストリップ５を有する。支持体４は、バネ７を収容するチャンバ状の凹部６を備えている。前記バネ７は、シャフト３上をスライドすることができる中心合わせ素子８に対して付勢される。中心合わせ素子８は、シャフト３に接続されたリング９によってバネ７から遠い側でシャフトに保持される。中心合わせ素子８は、円錐形プリセンタリング部分１０、隣接した略円筒状の部分１１（図４においてより明確に示される）及び該円筒状の部分１１に隣接した円錐形中心合わせ部分１２を有する。支持体４のチャンバ６は、中心合わせ素子８のための環状軸受面１３を有する。
【００２０】
ターンテーブル１は、ディスク形情報担体への動作を実行するのに適した装置の部分を形成することができる。このような装置、特に、情報担体（特に光ディスク）から情報を読み出す及び／又は情報担体（特に光ディスク）に情報を書き込むための装置は、光ヘッド２０を更に有する（図２を参照）。光ヘッド２０の動作は、一般に知られている。ターンテーブル１の動作は、次の通りである。中心開口１５を持つディスク形情報担体１４が、円錐形プリセンタリング部分１０に置かれ、このとき、ディスク形情報担体１４が、最初に、前記プリセンタリング部分１０上でスライドし、続いて、略円筒状部分１１上でスライドし、その後、開口１５の端が、特定の位置で円錐形中心合わせ部分１２と接触する。開口１５の端が円錐形中心合わせ部分１０に対して実質的に至る所で当接する位置において、開口１５の直径は、円錐形中心合わせ部分１２の直径に対応する。開口１５の前記直径は、１５ｍｍ〜１５．１５ｍｍである。
【００２１】
これに続いて、圧力Ｆａは、情報担体１４が摩擦増加材料のストリップ５に対して当接するまで、矢印Ｐ１によって示される方向に、バネ７のバネ力に逆らって、情報担体１４を中心合わせ素子８とともに移動させる。次に、シャフト３は、矢印Ｒ１によって示される方向に駆動され、シャフト３が、支持体４及び中心合わせ素子８によって中心合わせされた情報担体１４と共同で回転されるようにする。
【００２２】
前記回転の間、アンバランス力（図２の矢印Ｆｅによって示される）は、中心軸２に対して垂直な方向において発生することができる。前記アンバランス力は、例えば、情報担体１４中で不正確に中心合わせされた開口によって、製造工程の最中に情報担体において導入される局所的質量差によって、また、磨耗によって、生じることができる。情報担体に作用しているアンバランス力Ｆｅは、中心合わせ素子８に力を加え、この結果、中心合わせ素子８は、バネ７のバネ力に逆らって矢印Ｐ１によって示される方向に押される。この下方への力は、円錐形中心合わせ部分の壁が、中心軸２と例えば１５°の比較的大きな角度をなすという事実から得られる。素子８が矢印Ｐ１によって示される方向に特定の距離移動された後、開口１５の端は、略円筒状の部分１１に対して部分的に当接し、そこから部分的に間隔を置かれる。なぜなら、開口１５の直径が円筒状部分１１の直径より大きいからである。開口１５の端が略円筒状の部分１１に対して当接する位置において、アンバランス力Ｆｅは、中心合わせ素子に対して、矢印Ｐ１によって示される方向に下方への力を加えず、又は、加えたとしてもほとんど加えず、この結果、素子８は、矢印Ｐ１によって示される方向にそれ以上移動することを防止される。
【００２３】
装置が依然として、この位置においてディスク形情報担体１４を読み取って及び／又は書き込むことができれば、追加の措置がとられる必要はない。しかし、読取り又は書込みを行うことが、もはや充分な精度をもって可能でないならば、シャフト３が、従って情報担体１４も、矢印Ｒ１によって示される方向に回転されるのに必要とされる速度は、低減する。この結果、アンバランス力Ｆｅは、減少し、中心合わせ素子８は、バネ力７の影響を受けて、矢印Ｐ１の反対方向に移動し、円錐形中心合わせ部分１２を開口１５に押し入れ、情報担体１４を中心合わせ素子８の周りに中心合わせさせる。
【００２４】
図３は、本発明によるターンテーブル２１の第２の実施例を示し、これは、大部分、図１のターンテーブル１に対応する。ターンテーブル２１は、円錐形バネ２２を有し、これにより、中心合わせ素子８は、支持体４から押し離され、シャフト２に接続された環状絞り９に押し付けられる。円筒状部分１１は、図３において明らかに示される。
【００２５】
図４は、図３に示されるターンテーブル２１のＩＶ部の詳細なより大縮尺の図である。図４が明らかに示すように、円錐形中心合わせ部分１２の壁は、中心軸２と角度αをなし、円筒状部分１１の壁は、中心軸２と０°の角度をなし、円錐形プリセンタリング部分１０の壁は、中心軸２と角度βをなす。図４において明らかに示されているように、角度αは角度βより小さい。好適には、角度αは１５°のオーダーである一方で、角度βは、好適には６０°のオーダーである。円筒状部分１１の壁が中心軸２となす角度は好適には０に等しいが、この壁が中心軸２と、例えば最大５°の小さい角度をなすことも可能であり、これにより、予測される最大限のアンバランス力Ｆｅに依存して、中心合わせ素子８は、バネ２２のバネ力に逆らって、支持体４の方向へ、比較的遠くに、単純な態様で移動することが更に防止される。好適には、中心合わせ素子８は金属又は比較的高品質のプラスチックによって作られる。その形状安定性のためである。
【００２６】
好適には、円筒状部分１１の軸方向（例えば約０．２ｍｍの高さ）について、最小高さが用いられる。
【図面の簡単な説明】
【００２７】
【図１】本発明によるターンテーブルの概略断面図である。
【図２】本発明による装置を概略的に示し、ここで、情報担体が支持体に対して押し付けられている。
【図３】本発明によるターンテーブルの他の実施例を概略的に示す。
【図４】図３のターンテーブルのＩＶ部の詳細を示す。
【図１】
2007510248.tif 000003
【図２】
2007510248.tif 000004
【図３】
2007510248.tif 000005
【図４】
2007510248.tif 000006
【国際調査報告】
2007510248.tif 000007
2007510248.tif 000008
2007510248.tif 000009
2007510248.tif 000010